(57)【要約】【課題】  箱本体に収納した指輪やブローチ等の装身具を展示しやすいように前記蓋体を大きく開閉可能にすると共に、前記蓋体を箱本体にコンパクトに収納することで展示スペースの削減化を図った装身具ケースを提供することである。【解決手段】  底板１４とこの底板１４の周囲を囲う内側板１５ａ，１５ｂ，１５ｃ，１５ｄとによって構成され、内部に収容部２２を有する箱本体１２と、天板１６とこの天板１６の周囲を囲う外側板１７ａ，１７ｂ，１７ｃ，１７ｄとで構成され、前記収容部２２を閉塞するようにして箱本体１２に被さる蓋体１３とを備えた装身具ケース１１であって、前記蓋体１３を一の外側板１７ｄの一点で支持する止着部２０を介して前記箱本体１２の底板１４側に廻り込むように回転可能に取り付けた。【選択図】      図１
2007029449.tif 000002
【特許請求の範囲】
【請求項１】
底板とこの底板の周囲を囲う内側板とによって構成され、内部に収容部を有する箱本体と、天板とこの天板の周囲を囲う外側板とで構成され、前記収容部を閉塞するようにして箱本体に被さる蓋体とを備えた装身具ケースであって、
前記蓋体は、少なくとも外側板の一点で前記箱本体の裏面側に廻り込むように回転可能に取り付けられることを特徴とする装身具ケース。
【請求項２】
前記蓋体は、箱本体の裏面側に廻り込むと共に、箱本体の裏面側に重なって収容される請求項１記載の装身具ケース。
【請求項３】
前記蓋体の外側板の一点が前記箱本体の内側板に回転可能に止着され、この止着された部分の両側には、この蓋体を前記収容部に対して開閉可能に可動する切込部がそれぞれ設けられている請求項１記載の装身具ケース。
【請求項４】
前記蓋体は、四角形状の天板とその四周を取り囲む四辺の外側板とで構成され、前記外側板の一辺が箱本体の内側板の一辺に回転可能に止着されると共に、該止着された外側板の一辺の両側角部に他の外側板から切り離すための切込部が設けられている請求項１記載の装身具ケース。
【請求項５】
前記止着は、かしめ手段又は着脱可能な留め金具によって行われる請求項３又は４記載の装身具ケース。
【発明の詳細な説明】
【技術分野】
【０００１】
本発明は、装身具類を収納又は展示するための装身具ケースに関するものである。
【背景技術】
【０００２】
従来、指輪やブローチなどの装身具類を収納するケースは、所定の収納スペースと開口部を有した箱本体と、前記開口部に被せられる蓋体とで構成されている。前記蓋体は、箱本体と別体で構成されるか、一端を前記箱本体に蝶番等のヒンジ部材によって連結し、開閉する構造のものが多い。また、装身具ケースは、収納した装身具類が見えるように、ケースごとショーウィンドウなどに並べて展示する場合がある。前述したような箱本体と蓋体とが別体である場合は、蓋体を外し、箱本体の裏面側に重ねて展示され、ヒンジ部材で連結している場合は、そのまま蓋体を上方に開放した状態のまま展示される。
【０００３】
このように、前記装身具を収納すると共に、展示する目的を有するために構成された装身具ケースとしては、例えば、特許文献１に示すように、箱本体の一辺と蓋体の一辺とを折り曲げ可能とし、所定の開閉位置で固定させるものや、箱本体と蓋体とを蝶番等のヒンジ部材を介して連結させたものなどがある。また、特許文献２に示すように、箱本体及び蓋体の一側面の両端部を鋲で回動可能に連結することで、前記箱本体に対して前記蓋体を開閉する構造のものなどがある。
【特許文献１】特開２００２−２１１５５２号公報
【特許文献２】特開平９−１１００３５号公報
【発明の開示】
【発明が解決しようとする課題】
【０００４】
しかしながら、上記特許文献１に示したようなヒンジ構造の場合、蓋体の開閉方向や開閉範囲が制限されるため、展示を目的とする場合は、収納している装身具類が見えづらかったり、開いた蓋体の位置が固定できなかったり、または、安定した状態で載置できなかったりするといった問題があった。また、特許文献２に示したような回動可能な鋲によって連結した構造の装身具ケースの場合は、前記蓋体を箱本体部から大きく開いたりすることが容易であるが、前記鋲が箱本体の側面に２箇所必要となるため、この鋲が目立ち、展示する際の外観形状を損なうといった問題がある。
【０００５】
また、上記示した装身具ケースでは、収納されている装身具を開放して展示する際に、蓋体が開くスペースが必要となるため、商品をショーウィンドウに展示するスペースを広く取らなければならないといった問題があった。
【０００６】
そこで、本発明の目的は、箱本体に収納した指輪やブローチ等の装身具を展示しやすいように前記蓋体を大きく開閉可能にすると共に、前記蓋体を箱本体にコンパクトに収納することで展示スペースの削減化を図った装身具ケースを提供するものである。
【課題を解決するための手段】
【０００７】
上記課題を解決するために、本発明の装身具ケースは、底板とこの底板の周囲を囲う内側板とによって構成され、内部に収容部を有する箱本体と、天板とこの天板の周囲を囲う外側板とで構成され、前記収容部を閉塞するようにして箱本体に被さる蓋体とを備えた装身具ケースであって、前記蓋体は、少なくとも外側板の一点で前記箱本体の裏面側に廻り込むように回転可能に取り付けられることを特徴とする。
【発明の効果】
【０００８】
本発明の装身具ケースによれば、前記蓋体がその外側面の一点で前記箱本体の裏面に廻り込むように回転可能に取り付けられているので、前記蓋体を箱本体から離れることなく、収容部を大きく開放することができる。また、前記蓋体を箱本体の裏面に重なるように回転することができるので、ケースごとショーウィンドウに展示する際、蓋体が目立ったり、邪魔になったりすることがない。このため、装身具をケースごと展示する場合のスペースを抑えることができると共に見映えが向上する。
【発明を実施するための最良の形態】
【０００９】
以下、添付図面に基づいて、本発明に係る装身具ケースの実施の形態を説明する。ここで、図１は装身具を収納するために蓋体を開いた状態を示す装身具ケースの斜視図、図２は前記装身具ケースに設けた回転可能な止着部を中心とした断面図、図３及び図４は蓋体の回転動作を示す斜視図、図５は前記蓋体を箱本体の裏面側に回転させて重ねた状態を示す装身具ケースの斜視図である。
【００１０】
図１に示すように、本発明の装身具ケース１１は、装身具（指輪）２１を納める収容部２２を有した箱本体１２と、前記収容部２２を閉塞するように箱本体１２に被せられる蓋体１３とを備える。前記箱本体１２は、収納する指輪２１の形状や大きさに合わせた四角形状の底板１４と、この底板１４の周囲を囲う四方向の内側板１５ａ〜１５ｄとで構成され、前記底板１４及び内側板１５ａ〜１５ｄとで囲われたスペースが前記指輪２１を収納するための収容部２２になっている。
【００１１】
前記蓋体１３は、前記収容部２２の上方を覆う四角形状の天板１６と、この天板１６の四周から前記箱本体１２の各内側板１５ａ〜１５ｄの外周部を囲う四辺の外側板１７ａ〜１７ｄとで構成されている。前記一辺の外側板１７ｄの両端角部には、隣接する他の外側板１７ａ，１７ｃとの間に切込部１８が設けられ、前記外側板１７ａ，１７ｃから切り離されている。一方、他の三辺の外側板１７ａ，１７ｂ，１７ｃは、繋がった状態で箱形状を維持しているため、前記箱本体１２に密着して被せることができ、収容部２２がしっかりと閉塞される。また、前記切込部１８の両端部を結ぶ境界線（ヒンジ部）１９に沿って前記天板１６が収容部２２に向けて開閉可能に可動するようになっている。前記ヒンジ部１９は、軽く折り曲げくせを付けたり、直線状の溝部を形成したりすることによって形成されている。このヒンジ部１９を設けることによって、前記蓋体１３が前記収容部２２を閉塞する位置から外側板１７ｄと天板１６とが略直線状となる位置にまで自由に折り曲げ可能となる。そして、前記外側板１７ｄが箱本体１２の内側板１５ｄに止着部２０を介して３６０度回転可能に取り付けられている。図２に示すように、前記止着部２０は、前記箱本体１２の内側板１５ｄと蓋体１３の外側板１７ｄとを貫通する円柱状の軸部２０ａと、この軸部２０ａの両端を固定する円盤状の留部２０ｂ，２０ｃとからなるかしめ手段によって構成されている。この止着部２０は、前記内側板１５ｄ，１７ｄの中心部の一点に設けられる。
【００１２】
前記収容部２２には、指輪２１を収めた内箱２５がそのままセットされる。また、この内箱２５には、前記指輪２１を安定させると共に、振動や衝撃等から保護するためのクッションとなるスポンジ状のベース部材２４が収められ、このベース部材２４の中央部に設けられた差込溝２３に前記指輪２１のリング部がセットされる。なお、前記箱本体１２、蓋体１３及び内箱２５は、厚紙又はプラスチック材等によって形成され、その表面に装飾性のある飾り紙や合成皮革で被覆される。また、高級感を出すために、前記飾り紙や合成皮革の代わりにスエードやベルベット等で被覆してもよい。
【００１３】
前記蓋体１３は、前述したように回転可能な止着部２０を介して取り付けられているため、図１及び図２に示したような収容部２２を閉塞するための開閉位置から図５に示すような前記収容部２２を開放した状態でコンパクトに収容可能な位置まで可動することができる。次に、前記蓋体１３を収容可能な位置まで可動するための動作について説明する。前記蓋体１３を前記収容部２２から９０度以上に開いた状態から図３に示すように、そのまま左右のいずれかの方向に１８０度回転する。そして、図４に示すように、前記蓋体１３の天板１６の内側に箱本体１２の底板１４に向けて前記外側板１７ｄ部分をヒンジ部１９で折り曲げ、図５に示すように、箱本体１２の裏面に前記蓋体１３を重ねて収納する。このように、前記蓋体１３が前記止着部２０を支点として回転可能に取り付けられているので、前記収容部２２を閉塞する位置から指輪２１がセットされた面を大きく露出させて見やすく開放することができる。また、前記蓋体１３が前記止着部２０を介して回転可能となっているので、この蓋体１３を箱本体１２の裏面側に目立たないように、コンパクトに一体となって収納することができる。これによって、前記指輪２１が収納された装身具ケース１１を展示等の目的で使用することができ、その際の展示スペースの削減化が図られることになる。また、前記装身具ケース１１は、止着部２０が蓋体１３の一の外側板に一箇所設けられているだけであるので、この止着部２０が設けられている方の外側板が背面になるように展示すれば、前記止着部２０の留具２０ｃが目立たず、装飾感を損なうことがない。
【００１４】
また、前述したような止着部２０は、図６に示す装身具ケース３１のように、箱本体３２の内側板３３ａに設けられる受け金３４ａと、蓋体３３の外側板３３ａに設けられる鉤３４ｂとからなる着脱可能な留め金具（鉤ホック）３４によって構成することもできる。このような鉤ホック３４を用いることによって、上記装身具ケース１１と同様に蓋体３３が箱本体３２に対して回転可能となる、また、必要に応じて前記蓋体３３を箱本体３２から簡単に取り外したり、装着したりすることができる。また、前記鉤ホック３４は、箱本体３２の内側板３２ａと蓋体３３の外側板３３ａとを内面同士で連結させ、外表面に表れることがないので、装飾感を一層高めることができる。このように、蓋体３３の着脱が可能になることによって、指輪２１やその他の装身具に応じた装飾性のある蓋体に適宜変更したり、破損や汚れ等が生じたりした場合に、代替品に置き換えることができるといったことも可能となる。
【００１５】
上述した装身具ケース１１では、指輪２１を例にして説明したが、このような指輪２１以外にも、ピアス、イヤリング、ブローチ、ネックレス、ブレスレット、タイ止め、時計等の装身具を収納又は展示させるためのケースとしても応用可能である。また、前記装身具ケース１１の形状も四角形状に限らず、三角形状、多角形状あるいは円形状からなる箱本体及びこの箱本体の形状に対応した蓋体を備えた装身具ケースにおいても適用することができる。このような各形状の箱本体に対応した蓋体にあっては、その蓋体を構成する外側板の一部に一対の切込部を設け、この一対の切込部を設けた一の外側板を折り曲げ可能にすることで、蓋体の開閉範囲を大きくすることができる。さらに、前記一の外側板部分を箱本体の一端に回転可能な止着部を介して取り付けることで、前記蓋体を前記箱本体に取り付けたまま、上部又は下部に移動することができるので、前記装身具を収納したり、見栄えよく展示したりするといった多様な使用方法をとることが可能である。
【図面の簡単な説明】
【００１６】
【図１】本発明に係る装身具ケースの斜視図である。
【図２】上記装身具ケースの断面図である。
【図３】上記装身具ケースの蓋体の回転方向を示す説明図である。
【図４】上記蓋体を開閉した位置から１８０度回転した状態を示す説明図である。
【図５】上記蓋体が箱本体の裏面に重ねた状態を示す斜視図である。
【図６】上記箱本体と蓋体とを着脱可能とした装身具ケースの断面図である。
【符号の説明】
【００１７】
１１  装身具ケース
１２  箱本体
１３  蓋体
１４  底板
１５ａ〜１５ｄ  内側板
１６  天板
１７ａ〜１７ｄ  外側板
１８  切込部
１９  ヒンジ部
２０  止着部
２０ａ  軸部
２０ｂ，２０ｃ  留具
２１  指輪（装身具）
２２  収容部
２３  差込溝
２４  ベース部材
２５  内箱
３１  装身具ケース
３２  箱本体
３２ａ  内側板
３３  蓋体
３３ａ  外側板
【図１】
2007029449.tif 000003
【図２】
2007029449.tif 000004
【図３】
2007029449.tif 000005
【図４】
2007029449.tif 000006
【図５】
2007029449.tif 000007
【図６】
2007029449.tif 000008